(57)【特許請求の範囲】
【請求項１】
少なくとも鉄道車両のドアの下方付近を照らすように配設された照明装置と、
プラットホームに鉄道車両が入り、または停車したことを検知し検知信号を発信する車両検知手段と、
前記車両検知手段から送信されてきた前記検知信号に基づいて、前記照明装置の点灯および消灯を制御する制御手段と、
を備え、
前記照明装置は、
円筒形状の透明なパイプと、
前記パイプの内部に固定され、前記パイプの周壁を透過させて前記パイプの外部に光を放射する光源と、
前記パイプの両端部分をそれぞれ緊緩自在に握持するパイプクランプと、
前記パイプに挿入される円筒状の挿入部と、前記挿入部よりも大径で前記パイプの周壁の端部に当接するつば部とで構成されており、前記キャップの前記挿入部の外周面には、前記パイプの周壁の内径より大径のリブが環状に複数形成された、前記パイプの両端の開口端をそれぞれ水密状態に閉塞するキャップと、を備え、
前記キャップは、前記挿入部が前記パイプの開口部分に挿入される際に前記各リブが前記パイプの周壁の内周面に嵌合するように変形されて前記各リブと前記パイプの周壁との間に押圧が生じるように圧入され、前記つば部が前記パイプの周壁の端部に当接するまで押し込まれることで、前記パイプとの水密性が確保された状態で前記パイプの両端の開口端をそれぞれ閉塞し、
前記光源は、ＬＥＤで構成されており、前記パイプクランプで前記パイプを緊縛して前記パイプの軸周りの回動を阻止することで放射角度が決定され、前記パイプに対する前記パイプクランプの緊縛を解除して前記パイプの軸周りの回動を許容することで放射角度が調整可能とされることを特徴とするホーム転落警告装置。
【請求項２】
前記照明装置の前記パイプは、前記パイプクランプに対してその軸周りに段階的に回動可能とされていることを特徴とする請求項１に記載のホーム転落警告装置。
【請求項３】
前記照明装置の前記パイプクランプは、滑り止め部材を介して前記パイプを握持することを特徴とする請求項１に記載のホーム転落警告装置。
【請求項４】
前記照明装置の前記キャップには、前記パイプの内部の配線と外部の配線とを接続するためのコネクタが設けられていることを特徴とする請求項１から請求項３のいずれか一項に記載のホーム転落警告装置。
【発明の詳細な説明】
【技術分野】
【０００１】
本発明は、照明装置およびホーム転落警告装置に係り、特に、石等が衝突しても光の放射角度が変わらない照明装置およびそれを用いたホーム転落警告装置に関する。
【背景技術】
【０００２】
駅のプラットホームと鉄道車両との間には隙間ができるが、乗客が乗り降りする際にその隙間に誤って転落することを防止するため、プラットホームは、鉄道車両がプラットホームに近接した状態で駅構内に進入して停車するような形状になっている。しかし、例えば線路がカーブしている位置にプラットホームが設けられているような場合には、必然的にプラットホームと鉄道車両との間に比較的広い隙間ができてしまう。
【０００３】
近年、プラットホームと鉄道車両との間にこのような隙間があることを乗客に意識させて隙間に転落しないように注意を喚起するために、例えば図１２に示すように、プラットホームＨの下部に照明装置１００を設けて、下方から鉄道車両Ｃの側壁のプラットホームＨに近い部分、特に鉄道車両Ｃのドアの下方付近を照らすようにした駅も現れている。また、照明装置１００として救急車両等に用いられるような回転灯を用いる場合もある。
【発明の開示】
【発明が解決しようとする課題】
【０００４】
しかしながら、このように鉄道車両Ｃを照らす照明装置１００として、図１２に例示したような放射面が平面状の照明装置を用いる場合、鉄道車両Ｃの車輪で跳ね飛ばされた石等が放射面に当って放射面が割れたり、内部の光源が損傷したりしてしまう。また、石等の衝突でモーメントが加わるため、照明装置１００の放射面が支持腕部１０２に支持された支持軸１０１周りに回動して放射角度が変わり、照明装置１００が鉄道車両Ｃの側壁やドア部分を適切に照らさなくなってしまう場合がある。そして、隙間Ｇの部分が適切に照らされなくなると、乗客Ｐに隙間Ｇの存在を知らせることができなくなる。
【０００５】
しかし、その一方で、プラットホームＨの構造上の制約で照明装置１００を配置できる場所が制限される場合も多い。この場合には、限られた設置場所に照明装置を設置して鉄道車両Ｃの側壁やドア部分を適切に照らすことができるように、照明装置には、光の放射方向を適切に調整することが可能であることが求められる。
【０００６】
このように、プラットホームＨと鉄道車両Ｃとの隙間Ｇ部分を照らす照明装置には、跳ね飛ばされた石等が当っても容易に放射角度が変わらないが、反面、例えば照明装置を設置する場合のように作業員が放射角度を調整しようとする場合には適切に放射角度を調整することができるような構成であることが求められる。
【０００７】
そこで、本発明は、衝撃が加わっても光の放射方向が確実に維持され、かつ、光の放射方向を適切に調整可能な照明装置を提供することを目的とし、また、この照明装置を用いてプラットホームと鉄道車両との隙間から乗客が転落しないように有効に注意を喚起することが可能なホーム転落警告装置を提供することをも目的とする。
【課題を解決するための手段】
【０００８】
前述の問題を解決するために、請求項１に記載のホーム転落警告装置は、
少なくとも鉄道車両のドアの下方付近を照らすように配設された照明装置と、
プラットホームに鉄道車両が入り、または停車したことを検知し検知信号を発信する車両検知手段と、
前記車両検知手段から送信されてきた前記検知信号に基づいて、前記照明装置の点灯および消灯を制御する制御手段と、
を備え、
前記照明装置は、
円筒形状の透明なパイプと、
前記パイプの内部に固定され、前記パイプの周壁を透過させて前記パイプの外部に光を放射する光源と、
前記パイプの両端部分をそれぞれ緊緩自在に握持するパイプクランプと、
前記パイプに挿入される円筒状の挿入部と、前記挿入部よりも大径で前記パイプの周壁の端部に当接するつば部とで構成されており、前記キャップの前記挿入部の外周面には、前記パイプの周壁の内径より大径のリブが環状に複数形成された、前記パイプの両端の開口端をそれぞれ水密状態に閉塞するキャップと、を備え、
前記キャップは、前記挿入部が前記パイプの開口部分に挿入される際に前記各リブが前記パイプの周壁の内周面に嵌合するように変形されて前記各リブと前記パイプの周壁との間に押圧が生じるように圧入され、前記つば部が前記パイプの周壁の端部に当接するまで押し込まれることで、前記パイプとの水密性が確保された状態で前記パイプの両端の開口端をそれぞれ閉塞し、
前記光源は、ＬＥＤで構成されており、前記パイプクランプで前記パイプを緊縛して前記パイプの軸周りの回動を阻止することで放射角度が決定され、前記パイプに対する前記パイプクランプの緊縛を解除して前記パイプの軸周りの回動を許容することで放射角度が調整可能とされることを特徴とする。
【００１０】
請求項２に記載の発明は、請求項１に記載のホーム転落警告装置において、前記照明装置の前記パイプは、前記パイプクランプに対してその軸周りに段階的に回動可能とされていることを特徴とする。
【００１１】
請求項３に記載の発明は、請求項１に記載のホーム転落警告装置において、前記照明装置の前記パイプクランプは、滑り止め部材を介して前記パイプを握持することを特徴とする。
【００１２】
請求項４に記載の発明は、請求項１から請求項３のいずれか一項に記載のホーム転落警告装置において、前記照明装置の前記キャップには、前記パイプの内部の配線と外部の配線とを接続するためのコネクタが設けられていることを特徴とする。
【発明の効果】
【００１４】
請求項１に記載の発明によれば、比較的大径の透明なパイプの内部に光源を固定し、パイプの両端部分をパイプクランプで緊縛して握持するように構成したことで、飛翔してきた石等がパイプに衝突してもパイプが容易には回動しないように機能するため、衝撃によりモーメントが加わっても光源の放射角度、すなわち光の放射方向を確実に維持することが可能となる。通常、パイプクランプにより、例えば作業者等がパイプを掴んで軸周りに回動させようとしても回動しない程度に強力にパイプを緊縛させることができる。このように強力に緊縛することができるため、石等の衝突の衝撃のみならず、より強力な衝撃が加わっても光の放射方向が確実に維持される。
【００１５】
また、請求項１に記載のホーム転落警告装置によれば、照明装置のパイプクランプの緊縛を解除することで、パイプを容易にその軸周りに回動させることが可能となる。そのため、光源の放射角度、すなわち光の放射方向を容易かつ適切に調整することが可能となる。さらに、パイプクランプの緊縛を解除することで、光源等を含むパイプを容易に交換することができるとともに、パイプクランプでパイプを緊縛して握持することで容易にパイプを取り付けることが可能となる。
さらに、照明装置のキャップが、挿入部がパイプの開口部分に挿入される際に各リブがパイプの周壁の内周面に嵌合するように変形されて各リブとパイプの周壁との間に押圧が生じるように圧入され、また、つば部がパイプの周壁の端部に当接するまで押し込まれることで、パイプとの水密性が確実に確保された状態でパイプの開口を閉塞することが可能となる。
さらにまた、照明装置を取り付けてから時間が経過しても、光の放射方向が変わってしまったりパイプが割れたりしない状態が続き、鉄道車両がプラットホームに停車する毎に、そのドアの下方付近を確実に照らし、乗客にプラットホームと鉄道車両との隙間の存在を的確に知らせて、乗客が隙間に転落しないように注意を喚起することが可能となる。
また、プラットホームの構造上の制約等がある場合でも照明装置を適切に配置して、光の放射方向を適切に調整することで、鉄道車両のドアの下方付近等の必要な場所に光を放射することが可能となる。さらに、車両検知手段として検知センサや連動装置等によりプラットホームに鉄道車両が入り停車したことを的確に検知して、点灯させるべき照明装置を的確に点灯させることが可能となるため、鉄道車両がプラットホームに入ってもいないのに照明装置が点灯して乗客らに違和感を覚えさせたりすることを防止することができ、また、無駄な電力消費を抑えることが可能となる。
【００１６】
また、前記発明の効果に加え、光源をＬＥＤで構成することで、長寿命であり、昼夜を問わず放射された光が視認できるという優れた視認性を有し、消費電力が小さい等のＬＥＤの特性を有効に発揮させることが可能となる。
【００１７】
請求項２に記載の発明によれば、前記発明の効果に加え、パイプがパイプクランプに対してその軸周りに段階的に回動可能とされることで、照明装置の光源の放射角度の調整を容易に行うことが可能となるとともに、照明装置が複数ある場合に、各照明装置のパイプの軸周りの角度を所定の段階の位置にそろえることで、すべての照明装置の放射角度を容易にそろえることが可能となる。
【００１８】
請求項３に記載の発明によれば、パイプクランプが滑り止め部材を介してパイプを握持するように構成されていれば、パイプクランプでパイプを緊縛した際に確実にパイプの軸周りの回動を阻止することが可能となり、前記発明の効果をより的確に発揮させることが可能となる。
【００１９】
請求項４に記載の発明によれば、前記各発明の効果に加え、例えば基板の配線をパイプの周壁を貫通させて外部と接続した場合には、パイプの軸周りの角度や照明装置を配設できる場所等に制限ができてしまう場合があるが、キャップにパイプの内部の配線と外部の配線とを接続するためのコネクタを設けることでそのような制限を受けることなくコネクタを介して外部と接続することが可能となり、基板に確実に電力等を供給することが可能となる。
【発明を実施するための最良の形態】
【００２２】
以下、本発明に係る照明装置およびホーム転落警告装置の実施の形態について、図面を参照して説明する。
【００２３】
［照明装置］
まず、本発明に係る照明装置の実施形態について説明する。本実施形態に係る照明装置１は、図１に示すように、パイプ２、キャップ３、コネクタ４、パイプクランプ５、基板６および光源７等で構成されている。
【００２４】
パイプ２は、中空の円筒形状に形成され、透明な材料で形成されている。パイプ２を構成する材料としては、耐衝撃性や耐候性、耐水性、透明性、寸法安定性等に優れるポリカーボネート（polycarbonate）製のパイプが好ましく用いられる。パイプ２の径や軸方向の長さ、周壁２ａの厚さ等は、照明装置１の使用状況等に応じて適宜のものが選択される。
【００２５】
本実施形態では、パイプ２の周壁２ａの外表面には、例えば光触媒活性物質である酸化チタン（ＴｉＯ２）等を含む液状化ガラスでコーティングするなどして、光触媒が塗布されている。このようにパイプ２の周壁２に光触媒を塗布することで、周壁２に付着した泥等の汚染物質を浮かせて雨水等で周壁２ａ上から流れ落ちるようにすることが可能となり、照明装置１に自浄機能を持たせることが可能となる。
【００２６】
パイプ２の両端の開口部分には、それぞれキャップ３が設けられており、キャップ３はパイプ２の開口を水密状態に閉塞するようになっている。なお、例えばパイプ２の一方側の端部が予め閉塞されるように形成されている場合には、他方側の開口端がキャップ３により水密状態に閉塞される。
【００２７】
本実施形態では、キャップ３は、図２に示すように、パイプ２に挿入される円筒状の挿入部３ａと、挿入部３ａよりも大径でパイプ２の周壁２ａの端部に当接する略円板状のつば部３ｂとで構成されている。また、キャップ３の挿入部３ａの外周面には、パイプ２の周壁２ａの内径より若干大径のリブ３ｃが環状に複数形成されている。
【００２８】
キャップ３は、挿入部３ａがパイプ２の開口部分に挿入される際に各リブ３ｃがパイプ２の周壁２ａの内周面に嵌合するように変形されて各リブ３ｃとパイプ２の周壁２ａとの間に押圧が生じるように圧入され、また、つば部３ｂがパイプ２の周壁２ａの端部に当接するまで押し込まれることで、パイプ２との水密性が確実に確保された状態でパイプ２の開口を閉塞するようになっている。なお、図２では、後述するパイプクランプ５や基板６等の図示が省略されている。
【００２９】
本実施形態では、キャップ３には、パイプ２の内部に設けられる後述する光源７等に接続する配線ケーブル８と外部の配線ケーブル９とを接続するためのコネクタ４が設けられている。コネクタ４は、図２に示すようにキャップ３の円板状のつば部３ｂの中央部分に設けてもよく、また、図１に示したように偏心した位置に設けることも可能である。なお、コネクタ４のキャップ３に対する取り付けに際しては取り付け部分を介して雨水等がパイプ２内に浸入しないような処置が施される。
【００３０】
図１に示すように、パイプ２の両端部分は、地面や所定の取り付け場所に設置されたパイプクランプ５によってそれぞれ握持されるようになっている。具体的には、図中矢印Ｘで示される方向を照明装置１の前後方向とすると、パイプクランプ５は、下方に設けられた基部５ａの前後両端からそれぞれ上方に延出された一対の挟持片５ｂ、５ｃを有する構造をしており、基部５ａおよび挟持片５ｂ、５ｃの内側に形成される略円形状の空間にパイプ２が挿入されるようになっている。そして、基部５ａや挟持片５ｂ、５ｃが、パイプ２の周壁２ａの両端部分をほぼ全周にわたって外嵌する状態で握持するようになっている。
【００３１】
その際、パイプクランプ５は、パイプ２を単に握持した状態、すなわち挟持片５ｂ、５ｃの各先端部分に形成された各フランジ部５ｄ、５ｅを締結する締結ボルト５ｆを締めずにパイプ２に対する緊縛を解除した状態ではパイプ２の軸周りの回動を許容し、締結ボルト５ｆで締めてパイプ２を緊縛した状態ではパイプ２の軸周りの回動を阻止するようになっている。
【００３２】
なお、上記のように、本実施形態では、パイプクランプ５として締結ボルト５ｆの締結によりパイプ２を緊縛するものを用いる場合を示したが、パイプ２を緊緩自在に握持し、緊縛状態ではパイプ２の軸周りの回動を阻止し、緊縛を解除した状態ではパイプ２の軸周りの回動を許容するものであれば、他の構造のパイプクランプを用いることも可能であり、例えば図３に示すように挟持片５ｂ、５ｃの各先端部分５ｇ、５ｈを係止させてパイプ２を握持するような構成のパイプクランプ５を用いることも可能である。
【００３３】
また、緊縛状態でのパイプ２の軸周りの回動を確実に阻止するために、パイプクランプ５とパイプ２の壁面２ａとの間に図示しない滑り止め部材を介在させることも可能である。滑り止め部材としては例えばゴム製の部材を用いることができ、例えばパイプクランプ５の基部５ａや挟持片５ｂ、５ｃの内周面にゴムシートを貼付することで滑り止め部材を介在させることができる。また、より簡便には、例えばパイプ２の周壁２ａの両端部分にそれぞれ輪ゴムを掛けておき、パイプクランプ５で輪ゴムごとパイプ２を握持するようにしてもよい。
【００３４】
さらに、本実施形態では、パイプクランプ５で円筒形状のパイプ２をそのまま握持するため、パイプ２は、緊縛を解除した状態では、図４（Ａ）に示すように、パイプクランプ５に対してその軸Ｏ周りに任意の角度θで回動させることができる。
【００３５】
しかし、例えば図４（Ｂ）に示すように、パイプクランプ５の基部５ａや挟持片５ｂ、５ｃには複数の凹部５ｉを形成し、パイプ２の周壁２ａの両端部分にはそれぞれ凸部２ｂを形成しておき、パイプ２の凸部２ｂを嵌入させるパイプクランプ５の凹部５ｉを種々変化させることで、パイプ２を、パイプクランプ５に対してその軸周りに段階的に回動させて配置することが可能となる。
【００３６】
また、例えば図４（Ｃ）に示すように、パイプ２の周壁２ａの両端部分を正多角形形状に形成し、パイプクランプ５の基部５ａや挟持片５ｂ、５ｃの内周面部分をそれに相補的に正多角形形状に形成しても、パイプ２の正多角形形状の各面に対応するパイプクランプ５の正多角形形状の各面を変化させることで、上記と同様に、パイプ２を、パイプクランプ５に対してその軸周りに段階的に回動させて配置することが可能となる。
【００３７】
上記の場合、パイプ２に対するパイプクランプ５の緊縛を解除しただけでは、パイプ２の凸部２ｂがパイプクランプ５の凹部５ｉから容易に外れなかったり、パイプ２とパイプクランプ５の対応する面を容易に変化させることができなかったりして、パイプクランプ５に対してパイプ２を容易に回動することができない場合がある。そのような場合には、例えばパイプクランプ５の挟持片５ｂ、５ｃをさらに大きく拡開できるような構成とし、パイプクランプ５の挟持片５ｂ、５ｃを拡開して緊縛を解除してパイプ２の軸周りの回動を許容するように構成することも可能である。
【００３８】
なお、図４（Ｂ）における凹凸を逆にして、パイプクランプ５側に凸部を設け、パイプ２側に設けた複数の凹部のうちの１つの凹部を適宜選択して嵌入させる構成とすることも可能である。また、図４（Ｂ）、（Ｃ）ではパイプクランプ５に対してパイプ２が６０°刻みで回動できるように構成した場合を示したが、これに限定されず、凹部５ｉの数や正多角形の形状を任意に変更することで所望の角度刻みでパイプ２を段階的に回動させるように構成することができる。
【００３９】
図１に示すように、パイプ２の内部には、基板６と光源７が配設されている。図示を省略するが、基板６には、光源７を点灯させるために必要な電子部品等が配設されており、電子部品等には前述したコネクタ４や配線ケーブル８、９を介して外部から電力が供給され、光源７の点灯、消灯を指示する信号が送信されるようになっている。
【００４０】
また、本実施形態では、基板６は、図５に示すように、支持部材１０を介してパイプ２の周壁２ａに固定されており、パイプ２の軸周りの回動にあわせて基板６もパイプ２の軸周りに回動するようになっている。なお、基板６を前述したキャップ３に固定するように構成することも可能である。
【００４１】
基板６の一面側には、複数の光源７が配列されており、光源７から放射された光がパイプ２の周壁２ａを透過して外部に放射されるようになっている。本実施形態では、光源７にはＬＥＤ（Light Emitting Diode）が用いられている。ＬＥＤは、長寿命であり、昼夜を問わずＬＥＤにより放射された光を視認できるという優れた視認性を有し、消費電力が小さい等の特性を有する。
【００４２】
また、図６（Ａ）、（Ｂ）に示すように、光源７であるＬＥＤにレンズを用いたり、ＬＥＤの配置位置等を適切に調整することで、光源７から放射される光の照射野Ｒを広くしたり（図６（Ａ）参照）、狭くしたり（図６（Ｂ）参照）することができる。
【００４３】
なお、本実施形態では、パイプ２の内部に、光源７が配列された基板６がいわば剥き出しの状態で固定されており、パイプ２が透明であるため外部から剥き出しの基板６が見える。そのため、照明装置１の外観意匠的な観点から、光源７からの光の放射を遮らないような状態で、例えば基板６をケース等に収納したり、或いは基板６の支持部材１０側のパイプ２の周壁２ａの内面や外面を塗装したりフィルム等を貼付したり曇りガラス様の加工を施したりして目隠し状に形成することも可能である。
【００４４】
次に、本実施形態に係る照明装置１の作用について説明する。
【００４５】
コネクタ４や配線ケーブル８、９を介して照明装置１の基板６に電力を供給し、また、照明装置１の基板６に光源７の点灯、消灯や点滅を指示する信号を送信することで光源７を点灯、消灯或いは点滅させることができる。その際、いずれの光源７をいかなるタイミングで点灯、消灯或いは点滅させるかは、前記信号により逐次指示するように構成してもよいし、基板６側に予めセットしておいてもよい。
【００４６】
また、光源７の放射角度は下記のようにして調整することができる。なお、図６（Ａ）、（Ｂ）に示したように、光源７から放射される光の照射野Ｒを広くしたり狭くしたり調整することが可能であるが、光源７の放射角度という場合、図７に示すように、例えば地面に平行な面Ｅ等のような基準となる面と、図中矢印Ｌで示される基板６の基板面の法線方向とのなす角度θｉを表す。
【００４７】
放射角度の調整では、もしパイプ２がパイプクランプ５に取り付けられていなければ、パイプ２の両端部分をそれぞれパイプクランプ５の基部５ａと挟持片５ｂ、５ｃの間に挿入する。そして、締結ボルト５ｆを締めずにパイプ２に対する緊縛を解除した状態で、パイプ２を軸周りに任意に回動させ、或いは図４（Ｂ）、（Ｃ）に示したような場合はパイプ２をパイプクランプ５に対して軸周りに段階的に回動させて、図４（Ａ）に示したパイプクランプ５に対するパイプ２の軸Ｏ周りの角度θを調整する。
【００４８】
基板６はパイプ２の内部に固定されているから、パイプ２のパイプクランプ５に対する角度θの変化量Δθは、基板６の基板面の法線方向Ｌの基準面に対する角度θｉの変化量θｉに等しくなる。従って、パイプ２を軸周りに回動させてパイプクランプ５に対するパイプ２の軸周りの角度θを調整することで、光源７から放射される光の放射角度θｉを容易に調整することができる。
【００４９】
そして、パイプ２を軸周りに回動させて光源７の放射角度θｉを調整した後、パイプクランプ５の締結ボルト５ｆを締めることでパイプ２が緊縛され、パイプ２の軸周りの回動が阻止されることで、光源７の放射角度θｉが決定される。
【００５０】
その際、本実施形態では、図８（Ａ）に示すように、パイプ２の周壁２ａの両端部分の斜線を付して示す部分が、図示を省略するパイプクランプ５の基部５や挟持片５ｂ、５ｃによりほぼ全周にわたって外嵌され、締結ボルト５ｆの締め付けにより、パイプ２の周壁２ａが、パイプクランプ５の基部５等と所定の最大静止摩擦力（最大摩擦力）を有する状態で握持される。
【００５１】
一方、図１２に示した従来の照明装置１００では、図８（Ｂ）に示すように、図中斜線を付して示される支持軸１０１の円周面部分が、図示を省略する支持腕部１０２により所定の最大静止摩擦力を有する状態で握持されて、放射面１０３が軸Ｏ＊周りに回動しないように固定される。
【００５２】
この状態で、飛翔してきた石Ｓ等が衝突すると、図８（Ｂ）に示した従来の照明装置１００では、支持軸１０１の半径Ｒ２が小さいため、支持軸１０１と支持腕部１０２との最大静止摩擦力が大きくても、石Ｓ等の衝突により放射面１０３に生じる軸Ｏ＊周りのトルクが大きいと、最大静止摩擦力と支持軸１０１の半径Ｒ２との積で表されるトルクを上回り、石Ｓ等の衝突によって放射面１０３が軸Ｏ＊周りに回動してしまう。そのため、放射角度は比較的容易に変わってしまう。
【００５３】
それに対し、図８（Ａ）に示した本実施形態の照明装置１では、パイプクランプ５による最大静止摩擦力が非常に大きく、パイプ２の半径Ｒ１も大きいため、石Ｓ等の衝突によりパイプ２に生じる軸Ｏ周りのトルクは、最大静止摩擦力とパイプ２の半径Ｒ１との積で表されるトルクを上回ることができず、石Ｓ等が衝突してもパイプ２は軸Ｏ周りには回動しない。そのため、図示を省略する光源７の放射角度θｉは確実に維持される。
【００５４】
以上のように、本実施形態に係る照明装置１によれば、比較的大きな半径を有する透明なパイプ２の内部に光源７を固定し、パイプ２の両端部分をパイプクランプ５で緊縛して握持するように構成したことで、飛翔してきた石Ｓ等がパイプ２に衝突してもパイプ２が容易には回動しないように機能するため、衝撃が加わっても光源７の放射角度θｉ、すなわち光の放射方向を確実に維持することが可能となる。
【００５５】
通常、パイプクランプ５により、例えば作業者等がパイプ２を掴んで軸Ｏ周りに回動させようとしても回動しない程度に強力にパイプ２を緊縛させることができる。このように強力に緊縛することができるため、本実施形態に係る照明装置１によれば、石Ｓ等の衝突の衝撃のみならず、より強力な衝撃が加わっても光の放射方向が確実に維持される。
【００５６】
また、本実施形態に係る照明装置１によれば、パイプクランプ５の緊縛を解除することで、パイプ２を容易にその軸Ｏ周りに回動させることが可能となる。そのため、光源７の放射角度θｉ、すなわち光の放射方向を容易かつ適切に調整することが可能となる。
【００５７】
さらに、パイプクランプ５の緊縛を解除することで、光源７等を含むパイプ２を容易に交換することができるとともに、パイプクランプ５でパイプ２を緊縛して握持することで容易にパイプ２を取り付けることができる。
【００５８】
なお、基板６上での光源７の配列が図１に示した配列に限定されないことは言うまでもない。また、本実施形態に係る照明装置１は、上記のように汎用性を有するものであり、前述したようにプラットホームＨと鉄道車両Ｃとの隙間Ｇから乗客Ｐが転落しないように注意を喚起するホーム転落警告装置に用いられる場合には限定されない。
【００５９】
また、本実施形態では、照明装置１が、地面等に、パイプ２の軸Ｏ方向が水平方向を向くように設置される場合について説明したが、これに限定されず、パイプ２の軸Ｏ方向が垂直方向を向くように設置してもよく、パイプ２が鉛直方向に対して傾斜するように配置することも可能である。さらに、照明装置１を、床面や天井、室内や屋外の壁面や柱等に設置することも可能である。
【００６０】
また、本実施形態では、図６（Ａ）、（Ｂ）等に示したように、ある特定の方向に或いは特定の照射野Ｒに対して光を放射する照明装置１について説明したが、この他にも、例えば図９に示すように照明装置１のパイプ２の内部に光源７が配列された基板６ａ〜６ｃを複数設けてパイプ２周囲の全方向に光を放射するように構成することも可能である。
【００６１】
また、本実施形態では、黄色等の可視光を放射することを前提に説明したが、照明装置１から放射される光は可視光に限定されない。
【００６２】
［ホーム転落警告装置］
次に、上記の照明装置１を用いた本発明のホーム転落警告装置の実施形態について説明する。
【００６３】
本実施形態に係るホーム転落警告装置では、図１０（Ａ）に示すように、上記の照明装置１がプラットホームＨの下部に複数配設されている。各照明装置１は、下方から鉄道車両Ｃの側壁のプラットホームＨに近い部分のうち、少なくとも鉄道車両Ｃのドアの下方付近を照らすように鉄道車両Ｃの各ドアの下方にそれぞれ配設されるとともに、パイプ２の軸周りの角度θが調整されている。
【００６４】
また、照明装置１をプラットホームＨの下部に配設するスペースがない場合には、例えば図１０（Ｂ）に示すように、プラットホームＨの側壁に、鉄道車両Ｃと接触しない程度の大きさの照明装置１を配設するようにしてもよい。
【００６５】
その際、前述した図４（Ｂ）や図４（Ｃ）に示したように、照明装置１が、パイプクランプ５に対してパイプ２をその軸周りに段階的に回動させて配置することができるように構成されていれば、各照明装置１のパイプ２の軸周りの角度θを所定の段階の位置にそろえることで、すべての照明装置１の放射角度θｉを容易にそろえることが可能となる。
【００６６】
図１１は、本実施形態に係るホーム転落警告装置の制御構成を示すブロック図である。ホーム転落警告装置２０は、上記に示した複数の照明装置１と、車両検知手段２１と、制御手段２２とを備えている。また、本実施形態では、さらに、照明装置１の動作や故障箇所等を表示する監視盤２３が制御手段２２に接続されている。
【００６７】
なお、以下では、図１１に示した１つのプラットホームＨの両側の上り線および下り線にそれぞれ照明装置１が設けられている場合について説明するが、本発明は、これに限定されず、プラットホームＨの片側のみに照明装置１が設けられる場合や、複数のプラットホームＨのそれぞれに照明装置１が設けられる場合にも適用される。
【００６８】
車両検知手段２１としては、例えばレーザビームや超音波等を放射して反射波を検知してプラットホームＨの上り線や下り線に入ったり停車した鉄道車両Ｃを検知する検知センサ等を用いることができる。
【００６９】
また、鉄道の線路には、線路上の鉄道車両Ｃの位置を検知し、鉄道車両Ｃの在線状況を検知する連動装置が設けられているが、この連動装置を車両検知手段２１として用いることができる。鉄道のレールは、所定のトラック（区間）ごとに絶縁されており、それが鉄道車両Ｃの車輪により短絡される。連動装置は、その短絡を検知することで鉄道車両Ｃが現在どの位置に在線しているかを検知する。
【００７０】
そして、プラットホームＨの上り線や下り線の位置に鉄道車両Ｃが停車すると１つのトラック（以下、ホームトラックという。）に入るが、鉄道車両Ｃがホームトラック上に在線していることを検知して連動装置が発信する情報を検知信号として用いることができる。
【００７１】
制御手段２２は、図示しないＣＰＵやＲＯＭ、ＲＡＭ、入出力インターフェース等がバスに接続されたコンピュータにより構成されており、検知センサや連動装置等の車両検知手段２１が検知し発信した検知信号を受信すると、それに基づいて、プラットホームＨの鉄道車両Ｃの入線や停車が検知された側の各照明装置１に点灯信号を発信して、各照明装置１を点灯させるようになっている。
【００７２】
また、制御手段２２は、車両検知手段２１からの検知信号の入力がなくなると、点灯させている各照明装置１への点灯信号の送信を停止して、各照明装置１を消灯させるようになっている。なお、制御手段２２は、コンピュータを用いる代わりに、例えばＦＰＧＡ（Field Programmable Gate Array）を用いて制御手段２２を構成したり、いわゆるシーケンサを用いて構成してもよい。
【００７３】
上記のように、本実施形態に係るホーム転落警告装置２０によれば、前述したように照明装置１が飛翔してきた石Ｓ等の衝撃によってもパイプ２が容易に回動せず、また割れ難いものであるため、少なくとも鉄道車両Ｃのドアの下方付近を的確に照らし続けるように光の放射方向が維持される。
【００７４】
そのため、各照明装置１を取り付けてから時間が経過しても、光の放射方向が変わってしまったりパイプ２が割れたりしない状態が続き、鉄道車両ＣがプラットホームＨに停車する毎に、そのドアの下方付近を確実に照らし、乗客ＰにプラットホームＨと鉄道車両Ｃとの隙間Ｇの存在を的確に知らせて、乗客Ｐが隙間Ｇに転落しないように注意を喚起することが可能となる。
【００７５】
また、照明装置１は、地面等の水平面のみならず壁面等の直立する面等にも設置できるため、プラットホームＨの構造上の制約等がある場合でも照明装置１を適切に配置し、光の放射方向を適切に調整することで、鉄道車両Ｃのドアの下方付近等の必要な場所に光を放射することが可能となる。
【００７６】
さらに、車両検知手段２１として検知センサや連動装置等によりプラットホームＨに鉄道車両Ｃが入り停車したことを的確に検知して、点灯させるべき照明装置１を的確に点灯させることが可能となるため、鉄道車両ＣがプラットホームＨに入ってもいないのに照明装置１が点灯して乗客Ｐらに違和感を覚えさせたりすることを防止することができ、また、無駄な電力消費を抑えることが可能となる。
【００７７】
なお、プラットホームＨに停車した鉄道車両Ｃのドアの下方付近等に光を放射すると同時に、例えば乗客Ｐの注意を喚起する音声を発声させるように構成することも可能である。
【図面の簡単な説明】
【００７８】
【図１】本実施形態に係る照明装置の構成を示す斜視図である。
【図２】図１の照明装置のパイプの端部部分とキャップの構成を示す一部断面図である。
【図３】パイプクランプの変形例を示す側面図である。
【図４】（Ａ）は本実施形態のパイプクランプとパイプを示す側面断面図であり、（Ｂ）、（Ｃ）はパイプクランプとパイプの変形例を説明する側面断面図である。
【図５】図１のＡ−Ａ線に沿う断面図である。
【図６】光源から放射される光の照射野を説明する図であり、（Ａ）は照射野を広くした場合、（Ｂ）は狭くした場合を示す。
【図７】光源の放射角度を説明する図である。
【図８】（Ａ）は石等の衝突により本実施形態の照明装置はパイプが回動しないこと、（Ｂ）従来の照明装置は放射面が回動し易いことを説明する図である。
【図９】パイプ内に基板を複数も受けた変形例の構成を示す側面断面図である。
【図１０】（Ａ）本実施形態に係るホーム転落警告装置における照明装置の配設位置を示す図であり、（Ｂ）照明装置をプラットホームの側壁に設けた変形例を示す図である。
【図１１】本実施形態に係るホーム転落警告装置の制御構成を示すブロック図である。
【図１２】従来の照明装置の構成およびホーム転落警告装置における配設位置を示す図である。
【符号の説明】
【００７９】
１  照明装置
２  パイプ
２ａ  周壁
３  キャップ
４  コネクタ
５  パイプクランプ
６  基板
７  光源
８  内部の配線
９  外部の配線
２０  ホーム転落警告装置
２１  車両検知手段
２２  制御手段
Ｃ  鉄道車両
Ｈ  プラットホーム
Ｏ  パイプの軸
θｉ  放射角度
【図１】
0004601651.tif 000002
【図２】
0004601651.tif 000003
【図３】
0004601651.tif 000004
【図４】
0004601651.tif 000005
【図５】
0004601651.tif 000006
【図６】
0004601651.tif 000007
【図７】
0004601651.tif 000008
【図８】
0004601651.tif 000009
【図９】
0004601651.tif 000010
【図１０】
0004601651.tif 000011
【図１１】
0004601651.tif 000012
【図１２】
0004601651.tif 000013